(57)【要約】【課題】構成を複雑化することなく、折り畳み操作による損傷を抑制する。【解決手段】上側可折パイプ体ＵＰ、下側可折パイプ体ＬＰは、パイプＵＰＬ、ＵＰＲが連結部ＵＣＯＮで、パイプＬＰＬ、ＬＰＲが連結部ＬＣＯＮで連結されて、上下方向に折り曲げ可能に構成され、支柱２１、２２に回動自在にされる。パイプＵＰＬ、ＵＰＲの各後部４３、４５には、上部に緩衝部４８、４９が取り付けられた後側受け部４６、４７が突設され、緩衝部４８、４９が楽器本体１０の底面を直接支持する。パイプ体ＵＰ、ＬＰを折曲させていくと、後側受け部４６の緩衝部４８と後側受け部４７の緩衝部４９とが当接し、パイプ体ＵＰ、ＬＰが共に完全な折曲状態となって、スタンド２０が折り畳み状態となる。【選択図】図３
2008003493.tif 000002
【特許請求の範囲】
【請求項１】
楽器を支持するための折り畳み式の楽器用スタンドであって、
前記楽器を支持する際に、左右両側に起立して位置する左側、右側脚部と、
前記左側脚部の上端部に設けられた左側回動軸と、
前記右側脚部の上端部に設けられた右側回動軸と、
左側部材と右側部材とが折曲部にて折曲可能に連結されて構成され、前記左側部材の前記折曲部に遠い側の端部が前記左側回動軸に回動自在に接続されると共に、前記右側部材の前記折曲部に遠い側の端部が前記右側回動軸に回動自在に接続された可折体と、
前記可折体の前記左側部材及び前記右側部材に突出して設けられ、前記可折体が所定姿勢であるときに前記楽器の底面を受けて前記楽器を支持する左側、右側受け部とを有し、
前記可折体が前記所定姿勢に比し下方に凸となるように折曲し、且つ前記左側受け部と前記右側受け部とが当接することで、当該楽器用スタンドが折り畳み状態となるように構成されたことを特徴とする楽器用スタンド。
【請求項２】
前記可折体の前記左側部材／前記右側部材に対して、それぞれの一端部を着脱自在な左側支持部材／右側支持部材を有し、前記左側支持部材／前記右側支持部材は、前記左側部材／前記右側部材に対して装着されることで、前記可折体を、折曲させることなく前記所定姿勢に維持可能であることを特徴とする請求項１記載の楽器用スタンド。
【請求項３】
前記可折体の前記左側部材／前記右側部材には、それぞれ、前記楽器が支持されているときに前記楽器が背面側に脱落することを防止するための左側突起部／右側突起部が突設され、当該楽器用スタンドが折り畳み状態にあるときに、平面視において前記左側突起部、前記右側突起部、前記左側受け部及び前記右側受け部によって囲まれる囲み部が生じ、取り外された前記左側支持部材及び前記右側支持部材が、前記囲み部内に挿通されることで立設保持されるように構成されたことを特徴とする請求項２記載の楽器用スタンド。
【請求項４】
前記左側受け部と前記右側受け部とが当接した状態では、前記可折体の前記左側部材と前記右側部材とが平行になるように構成されたことを特徴とする請求項１〜３のいずれか１項に記載の楽器用スタンド。
【発明の詳細な説明】
【技術分野】
【０００１】
本発明は、鍵盤楽器等の楽器を支持する折り畳み式の楽器用スタンドに関する。
【背景技術】
【０００２】
従来、鍵盤楽器等の楽器を支持する折り畳み式の楽器用スタンドが知られている。例えば、下記特許文献１の楽器用スタンドは、一対の起立部材がそれらの長手方向中央で回動自在に連結され、使用時には正面視Ｘ字状となって、上部に大正琴が載置可能になる。また、折り畳み時には上記一対の起立部材が平行に近くなる。
【０００３】
また、下記特許文献２の楽器用スタンドでは、左右の脚フレームの上端部に、左右方向に延びた長さ調節可能な載置フレームの左右両端部の回動部分が回動自在に支持される。載置フレームには載置部が設けられ、載置部上にキーボードが載置される。回動部分にて、左右の脚フレームを載置フレームにほぼ平行に折り畳むことができる。
【特許文献１】特開２００３−５０５７８号公報
【特許文献２】実公平０７−３４３８号公報
【発明の開示】
【発明が解決しようとする課題】
【０００４】
しかしながら、上記特許文献１、２では、スタンドを折り畳む際に、フレーム等の、スタンドを構成する部材同士が接触しやすく、その繰り返しによりスタンドに傷が付きやすいという問題があった。一方、各部材に保護用の被膜等を一律に施すことも考えられるが、構成が複雑化するため、好ましくない。
【０００５】
本発明は上記従来技術の問題を解決するためになされたものであり、その目的は、構成を複雑化することなく、折り畳み操作による損傷を抑制することができる楽器用スタンドを提供することにある。
【課題を解決するための手段】
【０００６】
上記目的を達成するために本発明の請求項１の楽器用スタンドは、楽器を支持するための折り畳み式の楽器用スタンドであって、前記楽器を支持する際に、左右両側に起立して位置する左側、右側脚部（２１、２２）と、前記左側脚部の上端部に設けられた左側回動軸と、前記右側脚部の上端部に設けられた右側回動軸と、左側部材（ＵＰＬ）と右側部材（ＵＰＲ）とが折曲部（ＵＣＯＮ、ＵＣＯＮ２、３、４）にて折曲可能に連結されて構成され、前記左側部材の前記折曲部に遠い側の端部（４２ａ）が前記左側回動軸に回動自在に接続されると共に、前記右側部材の前記折曲部に遠い側の端部（４４ａ）が前記右側回動軸に回動自在に接続された可折体（ＵＰ）と、前記可折体の前記左側部材及び前記右側部材に突出して設けられ、前記可折体が所定姿勢であるときに前記楽器の底面を受けて前記楽器を支持する左側、右側受け部（４６、４７）とを有し、前記可折体が前記所定姿勢に比し下方に凸となるように折曲し、且つ前記左側受け部と前記右側受け部とが当接することで、当該楽器用スタンドが折り畳み状態となるように構成されたことを特徴とする。
【０００７】
好ましくは、前記可折体の前記左側部材／前記右側部材に対して、それぞれの一端部（３６ａ、３７ａ）を着脱自在な左側支持部材／右側支持部材（３６、３７）を有し、前記左側支持部材／前記右側支持部材は、前記左側部材／前記右側部材に対して装着されることで、前記可折体を、折曲させることなく前記所定姿勢に維持可能である（請求項２）。
【０００８】
好ましくは、前記可折体の前記左側部材／前記右側部材には、それぞれ、前記楽器が支持されているときに前記楽器が背面側に脱落することを防止するための左側突起部／右側突起部（５０、５１）が突設され、当該楽器用スタンドが折り畳み状態にあるときに、平面視において前記左側突起部、前記右側突起部、前記左側受け部及び前記右側受け部によって囲まれる囲み部（Ｓ１）が生じ、取り外された前記左側支持部材及び前記右側支持部材が、前記囲み部内に挿通されることで立設保持されるように構成される（請求項３）。
【０００９】
好ましくは、前記左側受け部と前記右側受け部とが当接した状態では、前記可折体の前記左側部材と前記右側部材とが平行になるように構成される（請求項４）。
【００１０】
なお、上記括弧内の符号は例示である。
【発明の効果】
【００１１】
本発明の請求項１によれば、構成を複雑化することなく、折り畳み操作による損傷を抑制することができる。
【００１２】
請求項２によれば、楽器を安定的に支持することができる。
【００１３】
請求項３によれば、立設保持専用の機構を設けることなく支持部材を保持することができる。
【００１４】
請求項４によれば、左右方向にコンパクトに折り畳むことができる。
【発明を実施するための最良の形態】
【００１５】
以下、本発明の実施の形態を図面を参照して説明する。
【００１６】
（第１の実施の形態）
図１は、本発明の第１の実施の形態に係る楽器用スタンドが適用される楽器システムの斜視図である。この楽器システムは、楽器用スタンドであるスタンド２０に楽器本体１０が支持され、さらに、足鍵盤部１を備えて構成される。足鍵盤部１は、複数の足鍵１ａと２つのペダル装置１ｂとを備える。足鍵盤部１は、スタンド２０の内側において平坦な床面に載置される。楽器本体１０は、電子鍵盤楽器として構成され、２段の鍵盤部を有する。足鍵盤部１は、楽器本体１０に電気的に接続されるが、そのための配線の図示は省略されている。
【００１７】
スタンド２０は、折り畳み可能に構成され、楽器本体１０を支持可能な「立設状態」と、収納に好適な「折り畳み状態」とに、状態を変えることができる。以降、前後方向及び左右方向については、図１に示すスタンド２０の立設状態において奏者を基準として呼称する。従って、楽器本体１０に対して奏者側が前側、鍵の並び方向が「左右方向」である。
【００１８】
図２は、立設状態のスタンド２０を斜め右上前方からみた斜視図である。図３は、折り畳み状態のスタンド２０を斜め左上後方からみた斜視図である。図４は、折り畳み状態のスタンド２０の背面図である。図５は、折り畳み状態のスタンド２０の平面図である。
【００１９】
図２〜図５に示すように、スタンド２０は、主に、いずれも金属を主体として構成される左支柱２１、右支柱２２、下側可折パイプ体ＬＰ、上側可折パイプ体ＵＰ及び補強部材３６、３７が組み付けられて、左右対称で一体的な立設状態となる。左支柱２１、右支柱２２は、真直な角柱で構成され、左右の前部に配置される。
【００２０】
左支柱２１、右支柱２２の各上端部２１ａ、２２ａには、樹脂等の軟質部材でなる前側受け部２５、２６が取り付けられ、さらに、前側受け部２５、２６の上部には、緩衝部２７、２８が取り付けられている。左支柱２１、右支柱２２の各下端部２１ｂ、２２ｂには、接地用脚部２３、２４が取り付けられ、立設状態においてはこれらが床面に当接する（図２参照）。
【００２１】
上側可折パイプ体ＵＰは、左上パイプＵＰＬと右上パイプＵＰＲとが連結部ＵＣＯＮで上下方向に折り曲げ可能に連結されて構成される。下側可折パイプ体ＬＰは、左下パイプＬＰＬと右下パイプＬＰＲとが連結部ＬＣＯＮで上下方向に折り曲げ可能に連結されて構成される。図２に示す立設状態において、上側可折パイプ体ＵＰ、下側可折パイプ体ＬＰは、いずれも平面視コ字状となる。
【００２２】
左上パイプＵＰＬは、奥行き方向に延びた側部４２と左右方向に延びた後部４３とが一体となった環状部材であり、側部４２と後部４３とはほぼ直角を成している。右上パイプＵＰＲは、奥行き方向に延びた側部４４と左右方向に延びた後部４５とが一体となった環状部材であり、側部４４と後部４５とはほぼ直角を成している。同様に、左下パイプＬＰＬは、直角を成す側部５２及び後部５３から成り、右下パイプＬＰＲは、直角を成す側部５４及び後部５５から成る。
【００２３】
側部４２の前端部４２ａ、側部４４の前端部４４ａは、それぞれ、左支柱２１の上端部２１ａ、右支柱２２の上端部２２ａに対して、上下及び左右方向に沿う面に平行に（奥行き方向に沿う軸を中心に）回動自在なように連結されている。側部５２の前端部５２ａ、側部５４の前端部５４ａは、それぞれ、左支柱２１の下端部２１ｂ、右支柱２２の下端部２２ｂに対して、上下及び左右方向に沿う面に平行に回動自在なように連結されている。
【００２４】
これらにより、左上パイプＵＰＬ、右上パイプＵＰＲが、それぞれ、連結部ＵＣＯＮ、連結部ＬＣＯＮで折り曲がる際には、左上パイプＵＰＬ、右上パイプＵＰＲ、左下パイプＬＰＬ、右下パイプＬＰＲは、それぞれ側部４２、４４、５２、５４の各軸中心の周りに回動することになる。側部４２、４４、５２、５４を回動自在にする部分の詳細な構成については、図６で後述する。
【００２５】
図２に示す立設状態において、上側可折パイプ体ＵＰと下側可折パイプ体ＬＰとが、着脱自在で真直な補強部材３６、３７で連結されている。補強部材３６、３７は、例えば、中空円筒状のパイプ材で構成される。補強部材３６の上端部３６ａ、下端部３６ｂは、それぞれパイプ材を押しつぶした瓦状の端部として形成され、該瓦状の端部にネジ穴が開けられている。上端部３６ａ、下端部３６ｂは、それぞれ、左上パイプＵＰＬの後部４３、左下パイプＬＰＬの後部５３に、ネジ４０、３８で固着されている。一方、補強部材３７の上端部３７ａ、下端部３７ｂも上端部３６ａ、下端部３６ｂと同様に構成され、上端部３７ａ、下端部３７ｂは、それぞれ、右上パイプＵＰＲの後部４５、右下パイプＬＰＲの後部５５に、ネジ４１、３９で固着されている。これらにより、補強部材３６、３７は、上側可折パイプ体ＵＰと下側可折パイプ体ＬＰとを所定間隔を保って平行に保持すると共に、スタンド２０の立設状態を安定的にする役割を果たす。
【００２６】
左下パイプＬＰＬの後部５３における、ネジ３８付近の下部には、接地用脚部５６が突設され、右下パイプＬＰＲの後部５５における、ネジ３９付近の下部には、接地用脚部５７が突設されている。立設状態においては、これらが、上記した接地用脚部２３、２４と共に床面に当接して（図２参照）、４点支持でスタンド２０が立設される。
【００２７】
また、左上パイプＵＰＬの後部４３、右上パイプＵＰＲの後部４５には、それぞれ、後側受け部４６、４７が上方に突設され、後側受け部４６、４７の上部には、緩衝部２７、２８と同様の緩衝部４８、４９が取り付けられている。立設状態で楽器本体１０を支持する際には、緩衝部２７、２８、４８、４９が楽器本体１０の底面と当接して、楽器本体１０を直接支持する。
【００２８】
緩衝部２７、２８、４８、４９は、ウレタンゴム等の滑りにくい弾性部材で構成される。これにより、楽器本体１０が多少傾いたり揺れたりしても、楽器本体１０の底面が緩衝部２７、２８、４８、４９と密着を維持しやすく、楽器本体１０がずれて脱落することが抑制され、安定した位置で支持される。
【００２９】
上側可折パイプ体ＵＰにおいて、後側受け部４６、４７の左右方向各内側位置に、ストッパ５０、５１が、上方に突出して設けられている。立設状態で楽器本体１０が支持されている状態で、楽器本体１０を後方に移動させようとすると、楽器本体１０の背面がストッパ５０、５１に当接するようになっている。従って、ストッパ５０、５１により、楽器本体１０の後方への脱落が防止される。
【００３０】
連結部ＵＣＯＮは、左上パイプＵＰＬの後部４３の右端部４３ａと右上パイプＵＰＲの後部４５の左端部４５ａとを連結し、連結部ＬＣＯＮは、左下パイプＬＰＬの後部５３の右端部５３ａと右下パイプＬＰＲの後部５５の左端部５５ａとを連結する。立設状態では、後部４３と後部４５、及び、後部５３と後部５５とが、それぞれほぼ同心上において真直になる。一方、後部４３、４５は、後部５３、５５よりも短いため、立設状態では、左支柱２１、右支柱２２は、それらの各上端部２１ａ、２２ａが、左右方向内側に少し傾斜している。連結部ＵＣＯＮ、ＬＣＯＮの詳細な構成は図７〜図９で後述する。
【００３１】
スタンド２０を立設状態から折り畳み状態へと遷移させる際には、補強部材３６、３７を取り外して、上側可折パイプ体ＵＰを、連結部ＵＣＯＮが下方に凸となるように折曲させると共に、下側可折パイプ体ＬＰを、連結部ＬＣＯＮが上方に凸となるように折曲させる（図３参照）。上側可折パイプ体ＵＰ及び下側可折パイプ体ＬＰを折曲させていくと、やがて、後側受け部４６の緩衝部４８と後側受け部４７の緩衝部４９とが当接する（図４参照）。そして、図３〜図５に示すように、これらが当接したとき、上側可折パイプ体ＵＰ及び下側可折パイプ体ＬＰが共に完全な折曲状態となって、スタンド２０が折り畳み状態となる。
【００３２】
この折り畳み状態では、左支柱２１、右支柱２２が互いに平行になる。また、左上パイプＵＰＬ、右上パイプＵＰＲ、左下パイプＬＰＬ及び右下パイプＬＰＲも、左支柱２１、右支柱２２に対して平行になる。しかも、図４、図５に示すように、左右方向における左支柱２１の左端と右支柱２２の右端までの範囲に、パイプＵＰＬ、ＵＰＲ、ＬＰＬ、ＬＰＲのすべてが収まっている。このようにして、左右方向にコンパクトに折り畳むことができる。なお、ネジ３８、３９、４１、４０、５９等の頭が上記範囲から若干突出しているが、これらのネジの頭も完全に上記範囲に収まるような形状にするのが望ましい。
【００３３】
なお、緩衝部４８と緩衝部４９とが当接して左支柱２１、右支柱２２が互いに平行になったとき、接地用脚部５６と接地用脚部５７とは、厳密には近接していて当接しない。しかし、左支柱２１、右支柱２２が平行な状態で、緩衝部４８、４９だけでなく接地用脚部５６、５７もちょうど当接するように構成してもよい。
【００３４】
スタンド２０の折り畳み状態においては、図３、図４に示すように、連結部ＵＣＯＮ及び後部４３、４５と、連結部ＬＣＯＮ及び後部５３、５５とは、上下方向にオーバラップしている。すなわち、連結部ＵＣＯＮと連結部ＬＣＯＮとで、及び、後部４３、４５と後部５３、５５とで、奥行き方向の位置が異なっているために、上側可折パイプ体ＵＰと下側可折パイプ体ＬＰとが干渉することなくオーバラップ可能になっている。これにより、後部４３、４５、５３、５５の長さを長く設定することが容易で、立設状態におけるスタンド２０の左右方向の寸法が長くても、折り畳み時には上下方向にコンパクトにすることができる。
【００３５】
図２に示すように、ストッパ５０、５１は、後部４３、４５から一旦後方に突出した後に上方に延びる鉤状になっている。そのため、図５に示すように、平面視において、ストッパ５０、５１と、後側受け部４６、４７乃至連結部ＵＣＯＮの連結片６１（後述）とによって囲まれる囲み部Ｓ１が生じる。そして、この囲み部Ｓ１内には、取り外した補強部材３６、３７を挿通して、起立させることができる。補強部材３６、３７は、その一端が床面に当接するが、囲み部Ｓ１によって倒れないように立設保持される（図３、図５参照）。これにより、補強部材３６、３７も嵩張ることなく収納可能となる。なお、ゴム製等のバンドを別途設け、スタンド２０の収納時には、囲み部Ｓ１内に挿通された補強部材３６、３７を、上記バンドで後部４３、４５と共に抱きかかえるように保持できるようにしてもよい。
【００３６】
図６（ａ）は、左支柱２１の上端部２１ａの縦断面図、図６（ｂ）は、その変形例の縦断面図である。図６（ａ）、（ｂ）で、左上パイプＵＰＬの側部４２の前端部４２ａが左支柱２１に対して回動自在に支持される部分の構成を説明する。
【００３７】
図６（ａ）に示すように、上端部２１ａには、受け部３３が設けられると共に、後部には穴２１ｃが形成されている。側部４２の前端部４２ａは、穴２１ｃを貫通して、上端部２１ａの内側において受け部３３の位置まで挿通されている。前端部４２ａは、ネジ材で構成されるか、または、左上パイプＵＰＬの側部４２の前端にカシメにより固着されて側部４２の前端部４２ａとなる。受け部３３の前側には回転把持部３１が装着される。回転把持部３１からは、雄ねじ部３４が受け部３３を貫通して奥行き方向に延び、側部４２の前端部４２ａに螺着されている。
【００３８】
かかる構成において、回転把持部３１を締める方向に回転させると、側部４２の前端部４２ａが受け部３３に圧接し、側部４２の回動が規制される。一方、前端部４２ａが受け部３３から離間するまで回転把持部３１を緩める方向に回転させれば、側部４２は、雄ねじ部３４を回動中心として左支柱２１の上端部２１ａに対して自由に回動自在となる。
【００３９】
従って、スタンド２０を立設状態と折り畳み状態との間で遷移させるときは、回転把持部３１を緩め、いずれかの状態で維持するときは、回転把持部３１を締めればよい。また、他の回動機構部分、すなわち、右支柱２２の上端部２２ａ、左支柱２１、右支柱２２の各下端部２１ｂ、２２ｂに対する側部４４、５２、５４の回動機構部分の構成も、図６（ａ）に示す構成と同様であり、雄ねじ部３４と同様の雄ねじ部を回動軸として側部４４、５２、５４が回動する。そして、それぞれ、回転把持部３２、２９、３０（図２参照）によって回動規制及び回動許可の操作が可能である。連結部ＵＣＯＮ、連結部ＬＣＯＮと雄ねじ部３４とが、上側可折パイプ体ＵＰ、下側可折パイプ体ＬＰを折り曲げ可能にする「折曲手段」を構成する。
【００４０】
なお、図６（ａ）に示す構成に代えて、図６（ｂ）に示す構成を採用してもよい。すなわち、図６（ａ）に示す構成では、受け部３３が上端部２１ａに一体に形成されたが、図６（ｂ）に示す構成では、受け部３３に相当する受け部１３３を、上端部２１ａとは別体で構成する。回転把持部３１を締める方向に回転させると、受け部１３３の後面が上端部２１ａの前面に圧接すると共に、側部４２の前端部４２ａが上端部２１ａの内側面に圧接し、側部４２の回動が規制される。
【００４１】
図７は、スタンド２０の立設状態における上側の連結部ＵＣＯＮの正面図である。図８は、スタンド２０の立設状態における上側の連結部ＵＣＯＮの下面図である。図９は、図７のＡ−Ａ線に沿う断面図である。
【００４２】
図７〜図９に示すように、左上パイプＵＰＬの後部４３の右端部４３ａと右上パイプＵＰＲの後部４５の左端部４５ａとは、前後に配置された２枚の連結片６１で連結される。いずれの連結片６１も、それらの両端部が、各々、連結ピン６２、６３で右端部４３ａ、左端部４５ａに回動自在に連結されている。これにより、連結ピン６２、６３の軸部６２ａ、６３ａ（図９参照）を中心に、連結片６１と後部４３、４５とが上下及び左右方向に沿う面に平行に回動自在となっている。
【００４３】
後部４３、４５はいずれも中空の環状に構成されている。右端部４３ａには摺動自在な可動バー６０が内挿され、スタンド２０の立設状態においては、可動バー６０は、右端部４３ａから左端部４５ａに亘って介在している。右端部４３ａの下部には、その長手方向に沿ってスリット６７が形成されている（図８、図９参照）。可動バー６０の後部４３側の端部近傍には、スリット６７を貫通して、締め付けネジ５８のネジ部６６が螺合されている。一方、可動バー６０の後部４５側の端部近傍には、後部４５の不図示の穴を貫通して、締め付けネジ５９のネジ部６８が螺合されている（図７参照）。また、可動バー６０の前部及び後部には、凹溝６０ａが全長に亘って形成されている（図７、図９参照）。
【００４４】
右端部４３ａ、左端部４５ａの各前部には、回り止めピン６４、６５が取り付けられている。回り止めピン６４、６５の先端（先端６４ａのみ図示）は、可動バー６０の凹溝６０ａ内に介在し、可動バー６０が長手方向に沿う軸に対して回転しようとすると、凹溝６０ａと当接係合して、可動バー６０の所定以上の回転を阻止する。なお、凹溝６０ａは、右端部４３ａ、左端部４５ａ内にある連結ピン６２、６３の部分との干渉を避けることにも寄与しているが、該連結ピン６２、６３の部分も先端６４ａと同様の回り止め機能を果たし得る。
【００４５】
かかる構成において、スタンド２０の立設状態においては、可動バー６０が締め付けネジ５８、５９と協働することにより後部４３、４５を強固に連結固定する機能を果たすので、上側可折パイプ体ＵＰは、安定して立設状態に対応する姿勢（所定姿勢）を維持することができる。
【００４６】
スタンド２０を立設状態から折り畳み状態に遷移させる際には、締め付けネジ５８を緩めると共に、締め付けネジ５９を取り外す。そして、締め付けネジ５８を把持して、可動バー６０を左方に移動させると、締め付けネジ５８ネジ部６６がスリット６７内を摺動していく。そして、ネジ部６６がスリット６７の左端に当接するまで可動バー６０を摺動移動させれば、その位置が可動バー６０の左限位置となる。
【００４７】
可動バー６０が左限位置にあるときは、可動バー６０が右端部４３ａ内に完全に収容される。この状態で、取り外した締め付けネジ５９を、スリット６７を介して可動バー６０に螺合しておくことで、可動バー６０が右端部４３ａから勝手に抜けることが防止される。さらには、締め付けネジ５８、５９を締め付けておくことで、がたつくことなく可動バー６０が右端部４３ａ内に固定される（図３参照）。
【００４８】
そして、後部４３、４５を、連結部ＵＣＯＮが下方に凸となる方向に連結片６１を介してそれぞれ９０°回動させて、互いに平行にする（図３参照）。これにより、上側可折パイプ体ＵＰが、スタンド２０の折り畳み状態に対応する折曲状態となる。
【００４９】
一方、スタンド２０を立設状態に戻すには、後部４３と後部４５とを回動させて同心上に真直にし、すなわち、右端部４３ａと左端部４５ａの端面同士を対向させる。そして、締め付けネジ５８を緩め、締め付けネジ５９を取り外した状態で、可動バー６０を移動可能な最も右方の位置に位置させる。ここで、締め付けネジ５８のネジ部６６がスリット６７の右端に当接するまで可動バー６０を移動させれば、その位置が可動バー６０の右限位置となる（図８参照）。そして、その位置で締め付けネジ５８、５９を締める。
【００５０】
下側の連結部ＬＣＯＮについても、その構成は連結部ＵＣＯＮと全く同様であり、スタンド２０の折り畳み時の折り曲げ方向が上方に凸となる点だけが異なる。また、上側可折パイプ体ＵＰと下側可折パイプ体ＬＰの伸張、折り畳み操作は並行して行うようにする。ところで、補強部材３６、３７は、連結部ＵＣＯＮ、ＬＣＯＮを固定して上側可折パイプ体ＵＰ及び下側可折パイプ体ＬＰを平行にした状態で着脱する。
【００５１】
ここで、連結部ＵＣＯＮを構成する要素のうち、立設状態において最も高い位置に位置する部位は、後部４３、４５を除けば連結片６１の上縁６１ａである（図７、図９参照）。そして、この連結片６１の上縁６１ａよりも、楽器本体１０の底面を受ける緩衝部２７、２８、４８、４９（図２参照）の位置の方が高く設定されている。これにより、楽器本体１０を支持する際に楽器本体１０の底面が連結部ＵＣＯＮに干渉することが回避される。
【００５２】
本実施の形態によれば、スタンド２０を折り畳むと、左支柱２１と右支柱２２とが近接すると共に、上側可折パイプ体ＵＰの左上パイプＵＰＬ及び右上パイプＵＰＲ、下側可折パイプ体ＬＰの左下パイプＬＰＬ及び右下パイプＬＰＲが、左支柱２１、右支柱２２に対して平行になるので、非使用時には左右方向にコンパクトに折り畳むことができる。特に、スタンド２０の折り畳み状態では、左右方向における左支柱２１の左端と右支柱２２の右端までの範囲に、パイプＵＰＬ、ＵＰＲ、ＬＰＬ、ＬＰＲのすべてが平行な状態で収まるので、折り畳み時の左右方向のサイズを一層コンパクトにすることができる。その一方で、上側可折パイプ体ＵＰ、下側可折パイプ体ＬＰは、立設状態において平面視コ字状であり、左支柱２１、右支柱２２の各上端部２１ａ、２２ａ、各下端部２１ｂ、２２ｂに回動自在にされているので、スタンド２０の立設状態で楽器本体１０を支持する使用時には、演奏者の足が入るスペースを大きく確保することができる。
【００５３】
また、上側可折パイプ体ＵＰ、下側可折パイプ体ＬＰは、それぞれ、下方に凸／上方に凸となるように折れ曲がって折曲状態となるので、スタンド２０の折り畳み状態での上下方向のサイズをコンパクトにすることができる。
【００５４】
また、連結部ＵＣＯＮと連結部ＬＣＯＮとで、及び、後部４３、４５と後部５３、５５とで、それぞれ奥行き方向の位置が異なっていて、なおかつ、スタンド２０の折り畳み時においては、上側可折パイプ体ＵＰと下側可折パイプ体ＬＰとが上下方向にオーバラップする。これにより、折曲時に上側可折パイプ体ＵＰと下側可折パイプ体ＬＰとが干渉しないようにできると共に、スタンド２０の左右方向の長さを長くしたとしても、折り畳み状態での上下方向のサイズをコンパクトにすることができる。
【００５５】
また、スタンド２０の立設状態においては、連結部ＵＣＯＮを構成する要素の最上部位である連結片６１の上縁６１ａよりも、緩衝部２７、２８、４８、４９（図２参照）の位置の方が高いので、使用時に楽器本体１０を支持する際には、楽器本体１０の左右方向の長さや、楽器本体１０の底面における連結部ＵＣＯＮとの干渉回避のための形状の制約を受けることなく、連結部ＵＣＯＮに楽器本体１０が干渉しないようにすることができる。
【００５６】
また、スタンド２０の折り畳み時には、後側受け部４６の緩衝部４８と後側受け部４７の緩衝部４９とが当接して（図４参照）、上側可折パイプ体ＵＰ及び下側可折パイプ体ＬＰが平行な折曲状態となるので、上側可折パイプ体ＵＰと下側可折パイプ体ＬＰとのパイプ部分の接触が抑制される。これにより、折り畳み操作によるスタンド２０の損傷を抑制することができる。しかも、後側受け部４６、４７は、立設状態において楽器本体１０を受ける役割を果たすものでもあるので、構成要素の兼用により、損傷防止用専用の部品を設ける必要がなく、構成が複雑化しないで済む。
【００５７】
また、平面視において、ストッパ５０、５１と、後側受け部４６、４７（乃至連結部ＵＣＯＮの連結片６１）とによって生じる囲み部Ｓ１内に、取り外した補強部材３６、３７を挿通して、立設保持させることができるので（図３、図５参照）、スタンド２０の非使用時において、立設保持専用の機構を設けることなく補強部材３６、３７を保持することができる。
【００５８】
また、上側可折パイプ体ＵＰ、下側可折パイプ体ＬＰの、側部４２、４４、５２、５４、後部４３、４５、５３、５５の長さの設定によって、立設状態における左支柱２１、右支柱２２の傾斜角度を決められるので、スタンド２０の設計の自由度が高い。
【００５９】
また、締め付けネジ５８（図８参照）のネジ部６６がスリット６７の右端、左端に当接することで、可動バー６０の右限位置、左限位置が規制されるので、可動バー６０の位置合わせが容易であると共に、ネジ部６６がストッパ機能を兼ねるので、構成が複雑化しない。しかも、締め付けネジ５８、５９が、スタンド２０の立設状態と折り畳み状態の双方において、締め付けにより可動バー６０を固定するのに用いられるので、構成が複雑化しない。
【００６０】
緩衝部２７、２８、４８、４９が弾性部材で構成されたので、楽器本体１０が多少傾いたり揺れたりしても、簡単にはずれて脱落せず、安定した位置で楽器本体１０を支持することができる。なお、楽器本体１０のずれ防止の観点からは、緩衝部２７、２８、４８、４９のうち少なくとも１つ、好ましくは２つ以上を滑りにくい弾性部材で構成すればよい。
【００６１】
なお、補強部材３６、３７の下端部３６ｂ、３７ｂについては、左下パイプＬＰＬ、右下パイプＬＰＲに固着されたが（図２参照）、上側可折パイプ体ＵＰ及び下側可折パイプ体ＬＰを立設状態に対応する姿勢で固定的に支持できればよく、上記構成に限るものではない。例えば、下端部３６ｂ、３７ｂは、床面に接地させてもよいし、左支柱２１、右支柱２２またはこれらに対して固定的にされた部分に対して固着するように構成してもよい。
【００６２】
なお、本実施の形態では、連結部ＵＣＯＮ、ＬＣＯＮにより上側可折パイプ体ＵＰ及び下側可折パイプ体ＬＰが回動阻止されることに加えて、補強部材３６、３７を設けて、上側可折パイプ体ＵＰ及び下側可折パイプ体ＬＰが立設状態に対応する姿勢で安定的に維持されるようにした。しかし、連結部ＵＣＯＮ、ＬＣＯＮの強度を十分に高くしておけば、上側可折パイプ体ＵＰ及び下側可折パイプ体ＬＰを、スタンド２０の立設状態に対応する姿勢で維持できるので、補強部材３６、３７は必須ではない。また、逆に、折り畳み機能と楽器本体１０を支持する機能に限って言えば、連結部ＵＣＯＮ、ＬＣＯＮにおいては、回動機能のみ設け、後部４３と後部４５、及び後部５３と後部５５とをそれぞれ固定的にする機能は廃止し、専ら補強部材３６、３７によって、上側可折パイプ体ＵＰ及び下側可折パイプ体ＬＰを、楽器本体１０を支持する姿勢で維持するようにしてもよい。
【００６３】
なお、連結部ＵＣＯＮと楽器本体１０との干渉回避の観点に限って言えば、上側可折パイプ体ＵＰ、下側可折パイプ体ＬＰの左支柱２１、右支柱２２に対する回動中心の軸方向や、折り畳み時における連結部ＵＣＯＮ、ＬＣＯＮの凸となる方向は、限定されない。
【００６４】
なお、連結部ＵＣＯＮ（図８参照）において、可動バー６０は締め付けネジ５８のみで固定されるようにして、締め付けネジ５９は廃止してもよい。なぜなら、可動バー６０が後部４３、後部４５に対してそれぞれ重なり領域ＯＬ１、ＯＬ２（図７参照）にて重なる状態となり、その状態を維持するためには少なくとも１箇所の固定で足りるからである。これに対するさらなる改善として、図１０（ａ）の構成を示す。図１０（ａ）は、連結部ＵＣＯＮの変形例の右半部の断面図である。締め付けネジ５９を廃止する場合は、同図（ａ）に示すように構成するのが望ましい。
【００６５】
すなわち、右上パイプＵＰＲの後部４５内に臼型の受け部材６９を固定する。受け部材６９の左端部内側にはテーパ面６９ａが形成されている。一方、可動バー６０の右端部には、段部６０ｃを介して小径部６０ｄが形成され、該小径部６０ｄの右端部には、テーパ面６９ａに対応するテーパ面６０ｂが形成されている。可動バー６０を右方に移動させると、締め付けネジ５８のネジ部６６がスリット６７（図８参照）の右端に当接する以前に、テーパ面６９ａとテーパ面６０ｂとが当接するように設定されている。これにより、テーパ面６９ａ、６０ｂの当接によって可動バー６０の右限位置が規制されると共に、可動バー６０が後部４５と同心に位置するようになる。従って、締め付けネジ５９のようなもので固定しなくても、可動バー６０の右端部がぐらつくことなく安定する。
【００６６】
なお、連結部ＵＣＯＮは、上記説明した構成に対して、前後対称、左右対称、あるいは前後及び左右対称に、逆の構成としてもよい。
【００６７】
なお、本実施の形態では、左支柱２１、右支柱２２は棒状であり、各パイプＵＰＬ、ＵＰＲ、ＬＰＬ、ＬＰＲは、側部が後部とほぼ直角を成して奥行き方向に延びた部材とすることで、上下及び左右方向に沿う面に平行に回動自在に左支柱２１、右支柱２２に連結された。しかし、これに限るものではない。
【００６８】
図１０（ｂ）は、変形例の楽器用スタンドの背面側から見た斜視図を模式的に示す図である。同図（ｂ）は、立設状態と折り畳み状態との中間の状態を示している。同図（ｂ）に示すように、左支柱２１、右支柱２２に代えて、板状の側板１２１、１２２を設ける。そして、側板１２１、１２２の上端部の後部に対して、上側可折パイプ体ＵＰに相当する上側可折パイプ体１０１を回動自在に連結すると共に、側板１２１、１２２の下端部の後部に対して、下側可折パイプ体ＬＰに相当する下側可折パイプ体１０２を回動自在に連結してもよい。また、これに加えて、側板１２１、１２２の上端部の前部に対しても、上側可折パイプ体１０３を回動自在に連結してもよい。
【００６９】
ここで、上側可折パイプ体１０１、１０３は、中間位置の連結部で下方に凸となるように折れ曲がる。一方、下側可折パイプ体１０２は、中間位置の連結部で前方に凸となるように折れ曲がる（同図（ｂ）の矢印参照）。
【００７０】
さらに、図示は省略するが、これらパイプ体１０１〜１０３は、上記した補強部材３６、３７（図２参照）と同様の補強部材（図示せず）で、相互に、あるいは側板１２１、１２２に対して連結する。また、側板１２１、１２２の後部下部には、切欠部１２１ａ、１２２ａが切り欠いて設けられ、切欠部１２１ａ、１２２ａに、下側可折パイプ体１０２の両端部が連結される。
【００７１】
すなわち、図１０（ｃ）に側板１２１の後部下部の拡大図を示すように、下側可折パイプ体１０２の右端部には、直角エルボ部１０２ｂが形成されている。そして、この直角エルボ部１０２ｂが、切欠部１２１ａにおいて、回動把持部１２３によって螺着されている。これにより、直角エルボ部１０２ｂが、水平方向に平行に回動自在に側板１２１に支持される。左側の切欠部１２２ａにおいても同様に、回動把持部１２３によって下側可折パイプ体１０２の左端部が水平方向に回動自在となっている。
【００７２】
このような構成により、上側可折パイプ体１０１、１０３と共に下側可折パイプ体１０２を折曲したとき、スタンド全体の厚みは、ほぼ、側板１２１、１２２と下側可折パイプ体１０２自体の厚みを合わせたものとなる。なお、側板１２１、１２２の内側に、下側可折パイプ体１０２が嵌合収容されるための収納溝を前後方向に沿って形成すれば、折り畳み状態におけるスタンド全体の厚みは、ほぼ、側板１２１、１２２の厚みとなる。なお、下側可折パイプ体１０２は、上記した下側可折パイプ体ＬＰと同様に上方に凸となるように折れ曲がるように構成してもよい。
【００７３】
なお、折り畳み時の左右方向のサイズをコンパクトにすることに限っていえば、上側可折パイプ体、下側可折パイプ体の折曲方向は問わず、また、互いに異なる方向に折曲されるものであってもよい。
【００７４】
上記第１の実施の形態では、上側可折パイプ体ＵＰを立設状態に対応する姿勢で維持する機構として、連結部ＵＣＯＮを例示したが、連結部ＵＣＯＮの構成はこれに限るものではなく、種々考えられる。以降の実施の形態では、連結部の他の構成を説明する。
【００７５】
（第２の実施の形態）
図１１は、本発明の第２の実施の形態に係る楽器用スタンドにおいて、上側の連結部を斜め右上前方から見た斜視図である。本実施の形態では、連結部の構成のみが第１の実施の形態とは異なり、その他の構成は同様である。
【００７６】
図１１に示すように、本実施の形態で採用される連結部ＵＣＯＮ２においては、左上パイプＵＰＬの後部４３の右端部４３ａと右上パイプＵＰＲの後部４５の左端部４５ａとが１枚の連結部材７１で連結される。右端部４３ａと左端部４５ａとは、共に、回動軸部７２で連結部材７１に対して上下方向に回動自在にされている。右端部４３ａの前部には、ピン７３が設けられている。右端部４３ａには、右端部４３ａの長手方向に摺動自在な可動体７０が装着されている。
【００７７】
図１２（ａ）は、連結部ＵＣＯＮ２の可動体７０の右側面図である。図１２（ｂ）は、同図（ａ）のＢ−Ｂ線に沿う断面図である。
【００７８】
可動体７０は、金属性等の別体の上側部材７６と下側部材７７とが円柱状の穴７０ａを形成するように組み付けられて成る。上側部材７６の基端部７６ａと下側部材７７の基端部７７ａとは、穴７０ａ内に右端部４３ａを挿通した状態で、ネジ７９で固定される（図１１参照）。そして、上側部材７６の先端部７６ｂと下側部材７７の先端部７７ｂとを、締め付けネジ７４、７５で緩める／締め付けることで、右端部４３ａ乃至左端部４５ａに対して摺動可能／固定することができる。なお、先端部７６ｂ、７７ｂ間の間隔を大きく広げられるように構成すれば、上側部材７６と下側部材７７は一体の部材であってもよい。
【００７９】
図１２（ｂ）に示すように、穴７０ａ内における前側には、穴７０ａの長手方向に沿って、ピン７３、回動軸部７２の逃げ部としての溝７８が形成されている。溝７８は、右端から締め付けネジ７４の近傍までに亘って形成されている。
【００８０】
かかる構成において、スタンド２０を立設状態にするには、図１１に２点鎖線で示すように、可動体７０を右方に移動させ、右端部４３ａと左端部４５ａとに架け渡した位置に位置させる。可動体７０の右限位置は、溝７８の左端７８ａがピン７３に当接することで規制される。可動体７０には溝７８が設けられているので、可動体７０が移動する際、ピン７３と干渉することはない。そして、右限位置に位置した可動体７０を、締め付けネジ７４、７５で締めて固定する。
【００８１】
一方、スタンド２０を立設状態から折り畳み状態へと遷移させるには、図１１に実線で示すように、可動体７０を左限位置に位置させる。ここで、可動体７０の左限位置は、可動体７０の左端が補強部材３６の上端部３６ａ（図２参照）と当接することで規制される。そして、締め付けネジ７４、７５を締めておくことで、可動体７０が右端部４３ａに固定される。この状態で、右端部４３ａと左端部４５ａとは、連結部材７１を介して自由に折り曲げ自在になっているので、その後の折り曲げ操作は第１の実施の形態と同様である。
【００８２】
ところで、スタンド２０の立設状態においては、連結部ＵＣＯＮ２を構成する要素の最上部位である締め付けネジ７４、７５の上端よりも、緩衝部２７、２８、４８、４９（図２参照）の位置の方が高く設定されている。
【００８３】
本実施の形態によれば、第１の実施の形態と同様の効果を奏することができる。また、締め付けネジ７４、７５は、上方から操作できるので、立設／折り畳みの作業を行いやすい。
【００８４】
なお、連結部ＵＣＯＮ２は、上記説明した構成に対して、前後対称、左右対称、あるいは前後及び左右対称に、逆の構成としてもよい。
【００８５】
（第３の実施の形態）
図１３は、本発明の第３の実施の形態に係る楽器用スタンドにおいて、その立設状態における上側の連結部を斜め右上前方から見た斜視図である。図１４は、図１３のＣ−Ｃ線に沿う断面図である。本実施の形態では、連結部の構成のみが第１の実施の形態とは異なり、その他の構成は同様である。
【００８６】
図１３、図１４に示すように、本実施の形態で採用される連結部ＵＣＯＮ３においては、左上パイプＵＰＬの後部４３の右端部４３ａと右上パイプＵＰＲの後部４５の左端部４５ａとが前後２枚の連結片８１で連結される。右端部４３ａと左端部４５ａとは、共に、回動軸部８２で連結片８１に対して上下方向に回動自在にされている。スタンド２０の立設状態においては、右端部４３ａと左端部４５ａとに架け渡すように、連結固定部材８０が装着されている。
【００８７】
連結固定部材８０は、上板部８５、下板部８６及びこれらを前部の２箇所で接続する接続部８７から成り、側面視コ字状に金属等で一体に構成される。上板部８５、下板部８６、接続部８７が、右端部４３ａ、左端部４５ａの各外周面における上部、下部、前部に当接している。連結固定部材８０は、２つの締め付けネジ８３によって右端部４３ａ、左端部４５ａに固定されている。すなわち、各締め付けネジ８３のネジ部８３ａが、上板部８５、右端部４３ａ、左端部４５ａを貫通して、下板部８６に螺合されている。
【００８８】
かかる構成において、図１３に示す立設状態から折り畳み状態へと遷移させるには、２つの締め付けネジ８３を外すと共に、連結固定部材８０を前方へずらして取り外す。この状態で、右端部４３ａと左端部４５ａとは、連結片８１を介して自由に折り曲げ自在になっているので、その後の折り曲げ操作は第１の実施の形態と同様である。
【００８９】
ところで、スタンド２０の立設状態においては、連結部ＵＣＯＮ３を構成する要素の最上部位である締め付けネジ８３の上端よりも、緩衝部２７、２８、４８、４９（図２参照）の位置の方が高く設定されている。
【００９０】
本実施の形態によれば、第２の実施の形態と同様の効果を奏することができる。
【００９１】
なお、連結部ＵＣＯＮ３は、上記説明した構成に対して、前後対称、左右対称、あるいは前後及び左右対称に、逆の構成としてもよい。
【００９２】
なお、第２、第３の実施の形態において、上記連結部ＬＣＯＮに相当する下側の連結部にも、上側の連結部ＵＣＯＮ２または連結部ＵＣＯＮ３の構成を採用できることは言うまでもない。また、上側の連結部と下側の連結部とに採用する構成は、同一でなくてもよく、第１〜第３の実施の形態で説明したいずれの構成（ＵＣＯＮ、ＵＣＯＮ２、ＵＣＯＮ３）をどのように組み合わせて採用してもよい。
【００９３】
なお、第１〜第３の実施の形態では、上側可折パイプ体ＵＰ及び下側可折パイプ体ＬＰが折曲しないように維持するための部材として、可動バー６０、可動体７０、連結固定部材８０を例示したが、このような機能を果たす部材は、パイプ体ＵＰ、ＬＰに対して可動または着脱自在な部材であればよい。
【００９４】
（第４の実施の形態）
図１５（ａ）は、本発明の第４の実施の形態に係る楽器用スタンドにおいて、その立設状態における上側の連結部の縦断面図である。図１５（ｂ）は、同連結部の横断面図である。本実施の形態では、連結部の構成のみが第１の実施の形態とは異なり、その他の構成は同様である。
【００９５】
本実施の形態で採用される連結部ＵＣＯＮ４においては、左上パイプＵＰＬの後部４３の右端部４３ａと右上パイプＵＰＲの後部４５の左端部４５ａとが連結部材９０で連結され、連結部ＵＣＯＮ４が下方に凸となるように回動可能となっている。そして、右端部４３ａが、左端部４５ａに対して軸方向に移動可能になっており、その移動によって、両者間の固定（回動規制）と回動許容とを行えるようになっている。従って、本実施の形態においては、下側の連結部ＬＣＯＮについても、連結部ＵＣＯＮ４と同様の機構を採用する必要がある。
【００９６】
図１６（ａ）は、連結部ＵＣＯＮ４において左上パイプＵＰＬ、右上パイプＵＰＲの後部４３、４５が回動自在にされた状態を示す正面図である。同図（ｂ）は、連結部ＵＣＯＮ４において左上パイプＵＰＬ、右上パイプＵＰＲの後部４３、４５が少し回動した状態を示す部分正面図である。
【００９７】
図１５（ａ）、（ｂ）に示すように、左端部４５ａの内周側には、円筒状の樹脂製等の固定柱９４が内装され、固定柱９４の内部には、金属製の係合片９６が接着等によって内装固定されている。固定柱９４の左端部は、左端部４５ａよりも左方に突出している（図１６（ａ）参照）。係合片９６の左端部は固定柱９４より左方に突出している。係合片９６にはネジ穴９６ｂが形成されており、固定ネジ９９が、左端部４５ａ及び固定柱９４を介して、ネジ穴９６ｂに螺合されることで（図１５（ｂ）参照）、係合片９６及び固定柱９４が左端部４５ａに対して常時固定状態とされている。
【００９８】
一方、右端部４３ａの内周側には、円筒状の樹脂製等の固定柱９３が接着等によって内装固定されている。固定柱９３の内部には、金属製の係合片９５が固定柱９３の長手方向に摺動自在に挿入されている。係合片９５の右端部は固定柱９３より右方に突出している。係合片９５には、その長手方向に沿ってスリット９５ｃが形成されている。係合片９５の左端部には、ネジ穴９５ｂが形成されている。
【００９９】
図１５（ｂ）に示すように、右端部４３ａには、締め付けネジ９８が後方から設けられている。すなわち、締め付けネジ９８のネジ部９８ａが、右端部４３ａの後部及び固定柱９３の各不図示の穴、さらにはスリット９５ｃの右端部を貫通して、右端部４３ａの前部に設けた不図示の雌ねじに螺合されている。従って、締め付けネジ９８、右端部４３ａ及び固定柱９３が一体となったものに対して、係合片９５が右端部４３ａの長手方向に相対的に変位可能となる。
【０１００】
また、締め付けネジ９７が、右端部４３ａの後面側の肉部及び固定柱９３の各不図示の穴を介して、ネジ穴９５ｂ（図１５（ａ）参照）に螺合されている。スタンド２０の立設状態においては、右端部４３ａの右端面４３ａｂと左端部４５ａの左端面４５ａａとを当接させた状態を維持しつつ、締め付けネジ９７、９８を締め付けておくことで、左端部４５ａと右端部４３ａとが同心状態となって固定状態が安定して維持される。
【０１０１】
係合片９５、９６は、連結部材９０に対して、回動軸部９２を中心に上下方向に回動自在に連結されている。連結部材９０の下部には回動規制用の当接片９１が一体に形成されている。
【０１０２】
図１５に示す立設状態においては、右端部４３ａのうち、固定柱９３より右方の環状部分４３ａａが、連結部材９０を覆うと共に、固定柱９４の左端部をも覆っており、右端部４３ａの右端面４３ａｂが左端部４５ａの左端面４５ａａと当接している。
【０１０３】
かかる構成において、図１５に示す立設状態から折り畳み状態へと遷移させるには、以降、同じ構成の図示しない下側の連結部についても、同じ操作を同時に行う。まず、締め付けネジ９７を、少なくともネジ穴９５ｂから外す。すると、右端部４３ａが左端部４５ａから離間して左方へ移動可能となる。すなわち、係合片９５にはスリット９５ｃが形成されているので、締め付けネジ９８のネジ部９８ａがスリット９５ｃの左端に当接するまで右端部４３ａを移動させることができる。ネジ部９８ａがスリット９５ｃの左端に当接した位置が、右端部４３ａの左限位置となる。
【０１０４】
右端部４３ａが左限位置にくると、図１６（ａ）に示すように、連結部材９０が完全に露出し、右端部４３ａと左端部４５ａとは、回動自在となる。この状態で、締め付けネジ９７を締めておくことで、右端部４３ａが不用意に移動することが防止される。その後の折り曲げ操作は第１の実施の形態と同様である。
【０１０５】
ここで、本実施の形態では、連結部材９０の下部に当接片９１を設け、右端部４３ａと左端部４５ａとを真直にしたとき、係合片９５の右端９５ａと係合片９６の右端９６ａ（図１６（ｂ）参照）とが、当接片９１に当接するようになっている。すなわち、上側可折パイプ体ＵＰは、右端部４３ａと左端部４５ａとが真直な状態から、連結部ＵＣＯＮ４が下方に凸となる方向にのみ回動が許容される。従って、右端９５ａ、右端９６ａが当接片９１に当接した状態が、スタンド２０の立設状態に対応する上側可折パイプ体ＵＰの姿勢となるので、当接片９１等によって、上記姿勢での上側可折パイプ体ＵＰの仮固定の機能が果たされることになる。
【０１０６】
ところで、下側の連結部については、連結部ＵＣＯＮ４とは逆に下側可折パイプ体ＬＰが上側に凸となるようにのみ折曲可能である点だけが異なる。
【０１０７】
本実施の形態によれば、第１の実施の形態と同様の効果を奏することができる。それだけでなく、上側可折パイプ体ＵＰが下方にのみ折曲可能で、立設状態に対応する姿勢で仮固定できるので、スタンド２０の立設作業がやりやすくなる。
【０１０８】
なお、連結部ＵＣＯＮ４は、上記説明した構成に対して、前後対称、左右対称、あるいは前後及び左右対称に、逆の構成としてもよい。
【０１０９】
なお、本実施の形態では、固定柱９４に右端部４３ａの環状部分４３ａａが被せられることで、右端部４３ａと左端部４５ａとが固定状態となったが、これに限られない。すなわち、右端部４３ａと左端部４５ａとを相対的に変位可能に構成すると共に、右端部４３ａに対して固定的な係合部と左端部４５ａに対して固定的な被係合部とが係合することで、右端部４３ａと左端部４５ａとが固定状態となるように構成すればよい。
【０１１０】
（第５の実施の形態）
図１７（ａ）は、本発明の第５の実施の形態に係る楽器用スタンドの立設状態を示す斜め前方からみた斜視図である。図１７（ｂ）は、同楽器用スタンドの立設状態を示す上から見た平面図である。
【０１１１】
左側脚部１１１と右側脚部１１２との間に、上記した上側可折パイプ体ＵＰに相当する可折体１１５が配置される。可折体１１５は、それぞれ板状の左側部材１１３と右側部材１１４とが、第４の実施の形態でも説明した連結部ＵＣＯＮ４にて下方に折り曲げ可能に連結されて構成される。連結部ＵＣＯＮ４は、前後２箇所に設けられる。
【０１１２】
図１８（ａ）は、図１７（ｂ）のＤ−Ｄ線に沿う断面図である。図１８（ｂ）は、本楽器用スタンドの折り畳み状態を示す部分断面図である。図１８（ｃ）は、連結部ＵＣＯＮ４において左側部材１１３と右側部材１１４とが回動自在にされた状態を示す斜め前方からみた斜視図である。
【０１１３】
連結部ＵＣＯＮ４の構成は第４の実施の形態（図１５、図１６参照）のものと同じである。従って、図１８（ｃ）において、同じ構成要素には同一符号が付してある。図１８（ｃ）に示すように、立設状態における左側部材１１３の右端部には、左上パイプＵＰＬの後部４３（図１５、図１６参照）に相当するパイプ部１４３が埋設固定されている。パイプ部１４３の端面１４３ａｂが、左上パイプＵＰＬの後部４３の右端面４３ａｂに相当する。端面１４３ａｂと左側部材１１３の右端面１１３ｂとは面一に形成される。また、パイプ部１４３の環状内壁１４３ａａが、右端部４３ａの環状部分４３ａａに相当する。
【０１１４】
一方、立設状態における右側部材１１４の左端部には、右上パイプＵＰＲの後部４５（図１５、図１６参照）に相当するパイプ部（図示せず）が埋設固定され、このパイプ部に、上記した固定柱９４が内装固定されている。このパイプ部の左端面（図１５に示す左端面４５ａａに相当）と右側部材１１４の左端面１１４ｂとは面一に形成されている。締め付けネジ９７、固定ネジ９９（図１８では図示省略）は廃止してもよい。また、締め付けネジ９８は、後側にも設けてもよい。
【０１１５】
図１８（ｂ）に示すように、左側部材１１３、右側部材１１４は、それぞれ、左側脚部１１１、右側脚部１１２の各内側面に対して、蝶番部１１６、１１７によって回動自在に連結されている。左側部材１１３の左側脚部１１１に近い側の端面、右側部材１１４の右側脚部１１２に近い側の端面には、それぞれ、く字状またはＬ字状のストッパ部１１８、１１９が取り付けられている（図１７（ｂ）も参照）。図１７（ａ）、（ｂ）、図１８（ａ）、（ｂ）に示すように、左側脚部１１１、右側脚部１１２の各内側には、ストッパ部１１８、１１９と同じ前後方向の位置に、ストッパ部１１８、１１９に対応して凹部１１１ａ、１１２ａが形成されている。
【０１１６】
スタンドの立設状態において、楽器本体１０（図１参照）は、左側部材１１３、右側部材１１４の各上面１１３ａ、１１４ａに載置される。左側脚部１１１、右側脚部１１２のうち上面１１３ａ、１１４ａより高い部分である突出部１１１ｂ、１１２ｂは、楽器本体１０の左右方向へのずれや脱落を防止する。従って、この部分は、楽器本体１０の高さの半分程度あれば十分である。
【０１１７】
かかる構成において、スタンドの立設と折り畳み状態との遷移は、第４の実施の形態（図１５、図１６）と基本的に同様である。従って、立設状態では、左側部材１１３と右側部材１１４とが水平となる。すなわち、第４の実施の形態と同様に、図１８（ｃ）に示す状態から、左側部材１１３と右側部材１１４とを押し合う方向に付勢すると、各連結部ＵＣＯＮ４の係合片９５、連結部材９０及び固定柱９４が、パイプ部１４３内に入り込んでいく。そして、環状内壁１４３ａａに固定柱９４が滑り込んで、左側部材１１３と右側部材１１４との両対向面が対向して当接することで、本スタンドが立設状態となって、左側部材１１３と右側部材１１４とが確実に水平に保たれる。
【０１１８】
また、このとき、図１８（ａ）に示すように、左側部材１１３のストッパ部１１８が、凹部１１１ａに嵌入し、凹部１１１ａの左側の底部に当接する。右側部材１１４についてはその様子は図示しないが、同様に、ストッパ部１１９が、凹部１１２ａの右側の底部に当接する。これにより、仮に本スタンドにおいて、左から力が加わったとしても、左側脚部１１１が左側部材１１３のストッパ部１１８を押すので、左側脚部１１１と左側部材１１３とは変形を起こさない。右からの力が加わったとしても、同様に、右側脚部１１２と右側部材１１４とは変形しない。すなわち、ストッパ部１１８、１１９と凹部１１１ａ、１１２ａとの当接によって互いに抗力が生じるから、スタンドは変形しない。従って、ストッパ部１１８、１１９が連結部ＵＣＯＮ４と協働して、スタンドの立設状態を安定的にする役割を果たす。また、立設状態において、凹部１１１ａ、１１２ａにストッパ部１１８、１１９の一部が入り込んで当接するように構成したのは、載置した楽器本体１０の側面がストッパ部１１８、１１９に干渉しないようにするためである。
【０１１９】
また、立設状態においては、図１７（ａ）に示すように、左側部材１１３、右側部材１１４の各上面１１３ａ、１１４ａが面一となる。しかも、連結部ＵＣＯＮ４は、左側部材１１３、右側部材１１４に内装状態となっていて、上面１１３ａ、１１４ａよりも下方に位置する（図１８（ｃ）参照）。さらに、ストッパ部１１８、１１９のうち左側脚部１１１、右側脚部１１２間にある部分については、上面１１３ａ、１１４ａと面一である（図１８（ａ）参照）。従って、載置面となる上面１１３ａ、１１４ａにおいて、それより上方に突出する構成要素がないので、載置する楽器本体１０の底面形状の制約をほとんど受けることなく楽器本体１０を支持することができる。
【０１２０】
立設状態から左側部材１１３と右側部材１１４とを離間させると、図１８（ｃ）に示すように、連結部ＵＣＯＮ４が露出して、左側部材１１３と右側部材１１４との折曲を許容する状態となる。そして、可折体１１５を下方に凸となるように折り曲げると、図１８（ｂ）に示すように、本スタンドが折り畳み状態となる。
【０１２１】
ここで、図１７（ｂ）に示すように、凹部１１１ａと凹部１１２ａとは、前後方向の位置がずれていて、ストッパ部１１８とストッパ部１１９とも同様にずれている。これにより、折り畳み状態においても、ストッパ部１１８とストッパ部１１９とが干渉することがない（図１８（ｂ）参照）。折り畳み状態では、スタンド全体の左右方向の幅は、ほぼ、左側脚部１１１、右側脚部１１２、左側部材１１３、右側部材１１４を併せた厚みにまで薄くなる。
【０１２２】
本実施の形態によれば、第４の実施の形態と同様の効果を奏することができる。
【０１２３】
なお、上記突出部１１１ｂ、１１２ｂの上方への突出量を極力小さく設定して、左側脚部１１１、右側脚部１１２の各上面ＴＰ（図１７（ａ）参照）に楽器本体１０の不図示の脚部を当接させて、楽器本体１０が上面ＴＰ上に載置されるように構成してもよい。そのように構成した場合は、仮に、左右いずれかの方向から本スタンドに対して、スタンド設置面ＥＥ（図１７（ａ）参照）と左側脚部１１１、右側脚部１１２の各下面とがずれるくらいの強い力が加わったとき、加わった力の方向の反対側の脚部は、同じ側のストッパ部と離間することによりその方向に傾斜するおそれがある。しかし、上記反対側の脚部の傾倒を、上面ＴＰと楽器本体１０の脚部との摩擦力によって防止することができる。このような、さらなる安定構造且つ簡単構造のスタンドも実現することができる。
【０１２４】
ところで、上記各実施の形態において、連結部ＵＣＯＮ等の操作や状態に着目して表現するならば、パイプＵＰＬ、ＵＰＲ、ＬＰＬ、ＬＰＲが連結部ＵＣＯＮ、ＵＣＯＮ２、３、４、ＬＣＯＮにて回動可能な状態にすることは、連結部ＵＣＯＮ２、３、４、ＬＣＯＮ、補強部材３６、３７の操作や状態においては、「折曲許容状態にする」となる（図３〜図５、図１０（ｂ）、図１１、図１６、図１８（ｃ））。一方、パイプＵＰＬ、ＵＰＲ等を回動不能な状態にすることは、連結部ＵＣＯＮ等の操作や状態においては、「折曲禁止状態にする」となる（図２、図７、図８、図１３、図１５）。
【０１２５】
なお、上記各実施の形態において、スタンド２０は、楽器本体１０の支持に用いるとしたが、支持される楽器は鍵盤楽器に限られない。
【図面の簡単な説明】
【０１２６】
【図１】本発明の第１の実施の形態に係る楽器用スタンドが適用される楽器システムの斜視図である。
【図２】立設状態のスタンドを斜め右上前方からみた斜視図である。
【図３】折り畳み状態のスタンドを斜め左上後方からみた斜視図である。
【図４】折り畳み状態のスタンドの背面図である。
【図５】折り畳み状態のスタンドの平面図である。
【図６】左支柱の上端部の縦断面図（図（ａ））、及びその変形例の縦断面図（図（ｂ））である。
【図７】スタンドの立設状態における上側の連結部の正面図である。
【図８】スタンドの立設状態における上側の連結部の下面図である。
【図９】図７のＡ−Ａ線に沿う断面図である。
【図１０】上側の連結部の変形例の右半部の断面図（図（ａ））、左支柱、右支柱に代えて側板を設けたスタンドの変形例の背面側から見た斜視図を模式的に示す図（図（ｂ））、側板下部の拡大図（図（ｃ））である。
【図１１】本発明の第２の実施の形態に係る楽器用スタンドにおいて、上側の連結部を斜め右上前方から見た斜視図である。
【図１２】連結部の可動体の右側面図（図（ａ））、同図（ａ）のＢ−Ｂ線に沿う断面図（図（ｂ））である。
【図１３】本発明の第３の実施の形態に係る楽器用スタンドにおいて、その立設状態における上側の連結部を斜め右上前方から見た斜視図である。
【図１４】図１３のＣ−Ｃ線に沿う断面図である。
【図１５】本発明の第４の実施の形態に係る楽器用スタンドにおいて、その立設状態における上側の連結部の縦断面図（図（ａ））、同連結部の横断面図（図（ｂ））である。
【図１６】連結部において左上、右上パイプの後部が回動自在にされた状態を示す正面図（図（ａ））、及び同後部が少し回動した状態を示す部分正面図（図（ｂ））である。
【図１７】本発明の第５の実施の形態に係る楽器用スタンドの立設状態を示す斜め前方からみた斜視図（図（ａ））、同楽器用スタンドの立設状態を示す平面図（図（ｂ））である。
【図１８】図１７（ｂ）のＤ−Ｄ線に沿う断面図（図（ａ））、本楽器用スタンドの折り畳み状態を示す部分断面図（図（ｂ））、連結部において左側部材と右側部材とが回動自在にされた状態を示す斜め前方からみた斜視図（図（ｃ））である。
【符号の説明】
【０１２７】
１０  楽器本体、  ２０  スタンド（楽器用スタンド）、  ２１  左支柱（左側脚部）、  ２２  右支柱（右側脚部）、  ２１ａ、２２ａ  上端部、  ３４  雄ねじ部（左側回動軸、右側回動軸）、  ３６  補強部材（左側支持部材）、  ３７  補強部材（右側支持部材）、  ３６ａ、３７ａ  上端部（一端部）、  ４２ａ、４４ａ  前端部、  ４６、４７  後側受け部（左側、右側受け部）、  ５０  ストッパ（左側突起部）、  ５１  ストッパ（右側突起部）、  ＵＰ  上側可折パイプ体（可折体）、  ＵＰＬ  左上パイプ（左側部材）、  ＵＰＲ  右上パイプ（右側部材）、  ＵＣＯＮ、ＵＣＯＮ２、ＵＣＯＮ３、ＵＣＯＮ４  連結部（折曲部）、  Ｓ１  囲み部
【図１】
2008003493.tif 000003
【図２】
2008003493.tif 000004
【図３】
2008003493.tif 000005
【図４】
2008003493.tif 000006
【図５】
2008003493.tif 000007
【図６】
2008003493.tif 000008
【図７】
2008003493.tif 000009
【図８】
2008003493.tif 000010
【図９】
2008003493.tif 000011
【図１０】
2008003493.tif 000012
【図１１】
2008003493.tif 000013
【図１２】
2008003493.tif 000014
【図１３】
2008003493.tif 000015
【図１４】
2008003493.tif 000016
【図１５】
2008003493.tif 000017
【図１６】
2008003493.tif 000018
【図１７】
2008003493.tif 000019
【図１８】
2008003493.tif 000020